(57)【要約】【課題】従来型の携帯電話用の拡大鏡でなく、画面表示部全体を部分的にではなく拡大して視認でき、使用時に両手が塞がってしまうことがなく安定した状態で携帯電話の画面表示部の拡大表示を視認でき、構成が簡易であることにより製造コストが嵩むことがなく、携帯性に優れた折りたたみ式拡大鏡を提供すること。【解決手段】直方体筒状部を有する折りたたみ式拡大鏡であって、上記直方体筒状部の一の長さ方向側面部にはレンズが固定されると共に上記一の長さ方向側面部に対向する他の長さ方向側面部には上記レンズに対応する開口部が形成され,非使用時には、幅方向に沿って折りたたみ、対向する長さ方向側面部を互いに当接させることにより薄型板状に形成することができることを特徴とする。【選択図】  図４
0003133244.tif 000002
【実用新案登録請求の範囲】
【請求項１】
直方体筒状部を有する折りたたみ式拡大鏡であって、
上記直方体筒状部の一の長さ方向側面部にはレンズが固定されると共に上記一の長さ方向側面部に対向する他の長さ方向側面部には上記レンズに対応する開口部が形成され、
非使用時には、幅方向に沿って折りたたみ、対向する長さ方向側面部を互いに当接させることにより薄型板状に形成することができることを特徴とする折りたたみ式拡大鏡。
【請求項２】
上記一の長さ方向側面部に隣接する互いに対向する一対の長さ方向側面部には、長さ方向に沿って折りたたみ用折れ筋が形成されていることを特徴とする請求項１記載の折りたたみ式拡大鏡。
【請求項３】
上記折れ筋は、上記一対の長さ方向側面部の幅方向中間部に形成されていることを特徴とする請求項２記載の折りたたみ式拡大鏡。
【請求項４】
上記長さ方向側面部の内方には、上記長さ方向側面部の内方部に固定され、使用時には、他の上記長さ方向側面部に当接して、直方体筒状部の形成を支持するフレーム部材が設けられていることを特徴とする請求項３記載の折りたたみ式拡大鏡。  
【請求項５】
上記フレーム部材は、上記の互いに対向する一対の長さ方向側面部に夫々設けられ、一方のフレーム部材は、上記一方の長さ方向側面部の一方の幅方向縁部から上記折れ筋にかけて固定されると共に、他方のフレーム部材は、上記他方の長さ方向側面部の他方の幅方向縁部から上記折れ筋にかけて固定されていることを特徴とする請求項４記載の折りたたみ式拡大鏡。
【請求項６】
上記直方体筒状部は、携帯電話のディスプレイ部が挿入しうる大きさ寸法に形成されていることを特徴とする請求項１〜５のいずれか１項に記載の折りたたみ式拡大鏡。
【請求項７】
上記レンズが固定された長さ方向側面部及び上記開口部が形成された上記一の長さ方向側面部に対向する他の長さ方向側面部に連設された互いに対向する一対の側面部の内方面部には、挿入された上記ディスプレイ部を両側から把持固定しうる保持凸部が設けられていることを特徴とする請求項６記載の折りたたみ式拡大鏡。
【請求項８】
上記開口部が形成された上記他の長さ方向側面部の内側面部には上記挿入された携帯電話のディスプレイ基端部を固定しうる弾性ベルトが設けられていることを特徴とする請求項６記載の折りたたみ式拡大鏡。
【請求項９】
上記開口部が形成された上記他の長さ方向側面部の外方には、携帯電話のディスプレイ部を挿入しうる間隔寸法をおいて、外方側面部が延設されていることを特徴とする請求項６記載の折りたたみ式拡大鏡。
【請求項１０】
上記直方体筒状部の長さ方向一端部側には、使用時には上記一端部を閉塞しうる幅方向側面部が設けられ、上記幅方向側面部は、上記長さ方向一端部の方形状の開口部を一方の対角線に沿って閉塞しうる一対の係合片部からなるフレーム部を備え、
上記一対の係合片部は、夫々、互いに係合する係合片と、上記係合片に固定され、他方の対角線を形成しうる折れ筋を有する固定片とより構成され、
折りたたみ時には、上記一方の対角線に沿って上記直方体筒状部を幅方向に沿って押し潰すことにより上記一対の係合片部の係合を解除することにより折りたたむことを特徴とする請求項１記載の折りたたみ式拡大鏡。
【考案の詳細な説明】
【技術分野】
【０００１】
本考案は、折りたたみ式拡大鏡に係り、特に、折りたたむことにより携帯性に優れた携帯電話用の拡大鏡に関する。
【背景技術】
【０００２】
携帯電話の画面表示部は、メール、写真、又は動画等の情報を表示させる情報伝達媒体として重要な役割を担っている。
そして、昨今における携帯電話の画面表示部の高解像度化に伴い、画面表示部の一画面上に一度に多量の情報を表示させることが可能であるので、表示される文字等が小さく精細なものも存在する。
しかしながら、表示される文字等が小さい場合には、文字等を視認することが困難であり、読み間違いが生じたり、読むこと自体が煩雑となる。
従来、携帯電話の画面表示部は、携帯電話の内部設定により、画面表示の中で文字等を拡大表示して視認性を向上させていた。
一方、画面表示部の視認性を向上させるための技術として、特開２００３−７５７３２号公報には、手持ちの拡大鏡により画面表示部又は押しボタンを拡大して視認させる先行技術が開示されている。
また、実登３１０５２２１号公報には、携帯電話の表示枠の側部に支持腕により連結させる拡大鏡により画面表示部を拡大して視認させる先行技術が開示されている。
【０００３】
しかしながら、携帯電話の内部設定により文字等を拡大表示させる方法では、画面中に表示される情報量が少なくなるという不便や、表示画面全体を拡大できないという不便も存在する。
また、手持ちの拡大鏡により画面表示部を拡大表示させる方法では、使用時において、携帯電話と拡大鏡とで両手が塞がってしまうという不具合が存する。
また、携帯電話の表示枠の側部に支持腕により連結させる拡大鏡では、構造が複雑であるため製造コストが嵩む可能性があり、取り付けるための製造コストが別に発生するという問題が存する。
【考案の開示】
【考案が解決しようとする課題】
【０００４】
本考案はこのような課題を解決するためになされたものであって、上記のような従来型の携帯電話用の拡大鏡でなく、画面表示部を部分的にではなく全体を拡大して視認でき、使用時に両手が塞がってしまうことがなく安定した状態で携帯電話の画面表示部の拡大表示を視認でき、構成が簡易であることにより製造コストが嵩むことがなく、携帯性に優れた折りたたみ式拡大鏡を提供することにある。
【課題を解決するための手段】
【０００５】
上記課題を解決するために、請求項１記載の考案にあっては、直方体筒状部を有する折りたたみ式拡大鏡であって、上記直方体筒状部の一の長さ方向側面部にはレンズが固定されると共に上記一の長さ方向側面部に対向する他の長さ方向側面部には上記レンズに対応する開口部が形成され、非使用時には、幅方向に沿って折りたたみ、対向する長さ方向側面部を互いに当接させることにより薄型板状に形成することができることを特徴とする。
すなわち、使用時に、上記直方体筒状部に携帯電話のディスプレイ部が挿入された場合には、上記レンズにより携帯電話のディスプレイ部を拡大することができる。
また、使用時に、上記直方体筒状部に携帯電話のディスプレイ部が挿入されていない場合には、上記一の長さ方向側面部に対向する他の長さ方向側面部に上記レンズに対応する開口部が形成されているので、レンズにより開口部を介して通常の拡大鏡として使用できる。
一方、非使用時には、幅方向に沿って折りたたむことができる。
【０００６】
請求項２記載の考案にあっては、上記一の長さ方向側面部に隣接する互いに対向する一対の長さ方向側面部には、長さ方向に沿って折りたたみ用折れ筋が形成されていることを特徴とする。
すなわち、折りたたみ用折れ筋が形成されているので、非使用時には、折りたたみ用折れ筋により折りたたむことができる。
【０００７】
請求項３記載の考案にあっては、上記折れ筋は、上記一対の長さ方向側面部の幅方向中間部に形成されていることを特徴とする。
【０００８】
請求項４記載の考案にあっては、上記長さ方向側面部の内方には、上記長さ方向側面部の内方部に固定され、使用時には、他の上記長さ方向側面部に当接して、直方体筒状部の形成を支持するフレーム部材が設けられていることを特徴とする。
すなわち、直方体筒状部の形成を支持するフレーム部材が設けられているので、直方体筒状部の直方体筒形状を安定した状態で保持できる。
【０００９】
請求項５記載の考案にあっては、上記フレーム部材は、上記の互いに対向する一対の長さ方向側面部に夫々設けられ、一方のフレーム部材は、上記一方の長さ方向側面部の一方の幅方向縁部から上記折れ筋にかけて固定されると共に、他方のフレーム部材は、上記他方の長さ方向側面部の他方の幅方向縁部から上記折れ筋にかけて固定されていることを特徴とする。
すなわち、フレーム部材は、上記一方の長さ方向側面部の一方の幅方向縁部から上記折れ筋にかけて固定されると共に、他方のフレーム部材は、上記他方の長さ方向側面部の他方の幅方向縁部から上記折れ筋にかけて固定されているので、拡大鏡を上記折れ筋で折りたたむ場合に、フレーム部材が折りたたみ状態を妨げることなく、スムーズに薄型板状に折りたたむことが可能である。
【００１０】
請求項６記載の考案にあっては、上記直方体筒状部は、携帯電話のディスプレイ部が挿入しうる大きさ寸法に形成されていることを特徴とする。
すなわち、上記直方体筒状部は、携帯電話のディスプレイ部が挿入しうる大きさ寸法に形成されているので、携帯電話を挿入することにより、携帯電話の折りたたみ式拡大鏡として使用することができる。
【００１１】
請求項７記載の考案にあっては、上記レンズが固定された長さ方向側面部及び上記開口部が形成された上記一の長さ方向側面部に対向する他の長さ方向側面部に連設された互いに対向する一対の側面部の内方面部には、挿入された上記ディスプレイ部を両側から把持固定しうる保持凸部が設けられていることを特徴とする。
すなわち、挿入されたディスプレイ部を両側から把持固定しうる保持凸部が設けられているので、携帯電話のディスプレイ部を安定した状態で把持固定できる。
【００１２】
請求項８記載の考案にあっては、上記開口部が形成された上記他の長さ方向側面部の内側面部には上記挿入された携帯電話のディスプレイ基端部を固定しうる弾性ベルトが設けられていることを特徴とする。
すなわち、挿入された携帯電話のディスプレイ側片部を固定しうる弾性ベルトが設けられているので、携帯電話のディスプレイ部を安定した状態で固定できる。
【００１３】
請求項９記載の考案にあっては、上記開口部が形成された上記他の長さ方向側面部の外方には、携帯電話のディスプレイ部を挿入しうる間隔寸法をおいて、外方側面部が延設されていることを特徴とする。
すなわち、上記開口部が形成された上記一の長さ方向側面部の外方には、携帯電話のディスプレイ部を挿入しうる間隔寸法をおいて、外方側面部が延設されているので、携帯電話のディスプレイ部を安定した状態で固定できる。
【００１４】
請求項１０記載の考案にあっては、上記直方体筒状部の長さ方向一端部側には、使用時には上記一端部を閉塞しうる幅方向側面部が設けられ、上記幅方向側面部は、上記長さ方向一端部の方形状の開口部を一方の対角線に沿って閉塞しうる一対の係合片部からなるフレーム部を備え、上記一対の係合片部は、夫々、互いに係合する係合片と、上記係合片に固定され、他方の対角線を形成しうる折れ筋を有する固定片とより構成され、折りたたみ時には、上記一方の対角線に沿って上記直方体筒状部を幅方向に沿って押し潰すことにより上記一対の係合片部の係合を解除することにより折りたたむことを特徴とする。
すなわち、上記一対の係合片部は、夫々、互いに係合する係合片と、上記係合片に固定され、他方の対角線を形成しうる折れ筋を有する固定片とより構成されているので、直方体筒状部の直方体筒形状を安定した状態で維持できる。
また、折りたたみ時には、上記一方の対角線に沿って上記直方体筒状部を幅方向に沿って押し潰すことにより上記一対の係合片部の係合を解除することによりおりたたむことができるので、コンパクトな薄型板状に折りたたむことができる。
【考案の効果】
【００１５】
請求項１記載の考案にあっては、直方体筒状部を有する折りたたみ式拡大鏡であって、直方体筒状部の一の長さ方向側面部にはレンズが固定されると共に一の長さ方向側面部に対向する他の長さ方向側面部にはレンズに対応する開口部が形成され、非使用時には、幅方向に沿って折りたたみ、対向する長さ方向側面部を互いに当接させることにより薄型板状に形成することができるので、使用時に上記直方体筒状部に携帯電話のディスプレイ部が挿入された場合には、上記レンズにより携帯電話のディスプレイ部を拡大することができ、ディスプレイ部全体を拡大して視認することができる携帯電話の折りたたみ式拡大鏡を提供することができる。
また、使用時に上記直方体筒状部に携帯電話のディスプレイ部が挿入された場合には、一の長さ方向側面部に隣接する互いに対向する一対の長さ方向側面部が設けられているので、携帯電話のディスプレイ部を他人が横から覗き見しにくい携帯電話の折りたたみ式拡大鏡を提供することができる。
また、使用時に上記直方体筒状部に携帯電話のディスプレイ部が挿入されていない場合には、レンズにより開口部を介して通常の拡大鏡として使用できる。
一方、非使用時には、幅方向に沿って折りたたむことができるので、薄型板状に形成され、携帯性に優れた携帯電話の折りたたみ式拡大鏡を提供することができる。
また、直方体筒状部材により簡易に構成されるので、製造コストが嵩むことがない。
【００１６】
請求項２記載の考案にあっては、一の長さ方向側面部に隣接する互いに対向する一対の長さ方向側面部には、長さ方向に沿って折りたたみ用折れ筋が形成されているので、非使用時には、折りたたみ用折れ筋に沿って内側に折りたたむことによりコンパクトな薄型板状を形成することが可能となり、より携帯性に優れた携帯電話の折りたたみ式拡大鏡を提供することができる。
【００１７】
請求項３記載の考案にあっては、折れ筋は、一対の長さ方向側面部の幅方向中間部に形成されているので、携帯電話のディスプレイ部を拡大しうる所定の幅方向の距離を確保しながら、内側に折りたたんだ際に双方の折りたたみ用折れ筋が重合する可能性を低減できる。
したがって、使用時には、携帯電話のディスプレイ部を所定の拡大率で拡大可能であり、非使用時には、折りたたみ用折れ筋に沿って内側に折りたたむことによりコンパクトな薄型板状を形成することが可能となり、より携帯性に優れた携帯電話の折りたたみ式拡大鏡を提供することができる。
【００１８】
請求項４記載の考案にあっては、長さ方向側面部の内方には、長さ方向側面部の内方部に固定され、使用時には、他の長さ方向側面部に当接して、直方体筒状部の形成を支持するフレーム部材が設けられているので、直方体筒状部の形状を安定した状態で保持でき、携帯電話のディスプレイ部又は被拡大部である新聞等に対しての平衡状態を保持し、安定した状態で使用可能な携帯電話の折りたたみ式拡大鏡を提供することができる。
【００１９】
請求項５記載の考案にあっては、フレーム部材は、互いに対向する一対の長さ方向側面部に夫々設けられ、一方のフレーム部材は、一方の長さ方向側面部の一方の幅方向縁部から折れ筋にかけて固定されると共に、他方のフレーム部材は、他方の長さ方向側面部の他方の幅方向縁部から上記折れ筋にかけて固定されているので、拡大鏡を上記折れ筋で折りたたむ場合に、フレーム部材が折りたたみ状態を妨げることがない。
したがって、非使用時には、薄型板状に折りたたむことが可能であり、より携帯性に優れた携帯電話の折りたたみ式拡大鏡を提供することができる。
【００２０】
請求項６記載の考案にあっては、直方体筒状部は、携帯電話のディスプレイ部が挿入しうる大きさ寸法に形成されているので、携帯電話の装着が簡易な携帯電話の折りたたみ式拡大鏡を提供することができる。
【００２１】
請求項７記載の考案にあっては、レンズが固定された長さ方向側面部及び開口部が形成された一の長さ方向側面部に対向する他の長さ方向側面部に連設された互いに対向する一対の側面部の内方面部には、挿入されたディスプレイ部を両側から把持固定しうる保持凸部が設けられているので、携帯電話のディスプレイ部を安定した状態で把持固定でき、使用時に両手が塞がってしまうことはなく、安定した状態で使用可能な携帯電話の折りたたみ式拡大鏡を提供することができる。
【００２２】
請求項８記載の考案にあっては、開口部が形成された他の長さ方向側面部の内側面部には挿入された携帯電話のディスプレイ基端部を固定しうる弾性ベルトが設けられているので、携帯電話のディスプレイ部を安定した状態で固定でき、使用時に両手が塞がってしまうことはなく、安定した状態で使用可能な携帯電話の折りたたみ式拡大鏡を提供することができる。
【００２３】
請求項９記載の考案にあっては、開口部が形成された他の長さ方向側面部の外方には、携帯電話のディスプレイ部を挿入しうる間隔寸法をおいて、外方側面部が延設されているので、携帯電話のディスプレイ部を安定した状態で固定でき、使用時に両手が塞がってしまうことはなく、安定した状態で使用可能な携帯電話の折りたたみ式拡大鏡を提供することができる。
【００２４】
請求項１０記載の考案にあっては、直方体筒状部の長さ方向一端部側には、使用時には一端部を閉塞しうる幅方向側面部が設けられ、幅方向側面部は、長さ方向一端部の方形状の開口部を一方の対角線に沿って閉塞しうる一対の係合片部からなるフレーム部を備え、一対の係合片部は、夫々、互いに係合する係合片と、係合片に固定され、他方の対角線を形成しうる折れ筋を有する固定片とより構成されるので、直方体筒状部の形状を安定した状態で維持でき、携帯電話のディスプレイ部又は被拡大部である新聞等に対しての平衡状態を保持し、安定した状態で使用可能な携帯電話の折りたたみ式拡大鏡を提供することができる。
また、折りたたみ時には、一方の対角線に沿って直方体筒状部を幅方向に沿って押し潰すことにより一対の係合片部の係合を解除することにより折りたたむことができるので、簡易に折りたたむことが可能な携帯性に優れた携帯電話の折りたたみ式拡大鏡を提供することができる。
【考案を実施するための最良の形態】
【００２５】
以下、図面を用いて本考案の実施の形態について説明する。
図１〜図３に示すように、本実施の形態に係る折りたたみ式拡大鏡１０は、直方体筒状部１１を有する折りたたみ式拡大鏡１０であって、上記直方体筒状部１１の一の長さ方向側面部１３にはレンズ１２が固定されると共に上記一の長さ方向側面部１３に対向する他の長さ方向側面部１４には上記レンズ１２に対応する開口部１５が形成され、非使用時には、幅方向に沿って折りたたみ、対向する長さ方向側面部１３，１４を互いに当接させることにより薄型板状に形成することができる。
【実施例１】
【００２６】
以下に、実施例１について詳細を説明する。
図１〜図４に示すように、上記一の長さ方向側面部１３に隣接する互いに対向する一対の長さ方向側面部１７，１８には、長さ方向に沿って折りたたみ用折れ筋１６ａ，１６ｂが形成され、上記折れ筋１６ａ，１６ｂは、上記一対の長さ方向側面部１７，１８の幅方向中間部に形成されている。
【００２７】
また、図１〜図４に示すように、折りたたみ式拡大鏡１０は、直方体筒状体１１のレンズ１２が固定されている一の長さ方向側面部１３に隣接する互いに対向する一対の長さ方向側面部１７，１８の内方には、上記長さ方向側面部１７，１８の内方部に固定され、使用時には、他の上記長さ方向側面部１３，１４に当接して、直方体筒状部１１の形成を支持するフレーム部材１９，２０が設けられている。
すなわち、図１に示すように、使用時には、直方体筒状部１１の形成を支持するフレーム部材１９，２０は、直方体筒状部１１のレンズ１２が固定された一の長さ方向側面部１３及び開口部１５が形成された他の長さ方向側面部１４に当接して支持する構成となっているので、直方体筒状部１１の形状を安定した状態で保持できる。
【００２８】
また、図１〜図４に示すように、上記フレーム部材１９，２０は、上記の互いに対向する一対の長さ方向側面部１７，１８の内方部に夫々設けられ、一方のフレーム部材１９は、上記一方の長さ方向側面部１７の一方の幅方向縁部２１ａから上記折れ筋１６ａにかけて固定されると共に、他方のフレーム部材２０は、上記他方の長さ方向側面部１８の他方の幅方向縁部２１ｂから上記折れ筋１６ｂにかけて固定されている。
【００２９】
また、図４に示すように、直方体筒状部１１は、携帯電話のディスプレイ部８０が挿入しうる大きさ寸法に形成されている。
【００３０】
また、図１〜図４に示すように、上記開口部１５が形成された上記一の長さ方向側面部１４の内側面部には上記挿入された携帯電話のディスプレイ基端部８１を固定しうる弾性ベルト２２が設けられている。
【００３１】
ここで、図５に示すように、本考案の実施例１にかかる折りたたみ式拡大鏡１０は、厚紙を切り起こした直方体筒状部形成部２４にフレーム部材１９，２０及び弾性ベルト２２を固定することにより形成されている。
上記折りたたみ式拡大鏡１０は、図５に示すように、直方体筒状部形成部２４の展開状態において、レンズ１２が固定された一の長さ方向側面部形成部２５の幅方向の一方の端部には、折り曲げ線３５を介して、一方の長さ方向側面部形成部２７が連設され、一の長さ方向側面部形成部２５の幅方向の他方の端部には、夫々、折り曲げ線３６，３７，３８を介し、順次、他方の長さ方向側面部形成部２８、開口部１５が形成された他の長さ方向側面部形成部２６、接合片部３３が連設されている。
また、開口部１５が形成された他の長さ方向側面部形成部２６の長さ方向の一方の端部には折り曲げ線３９を介して、折りたたみ部３４が連設されている。
【００３２】
上記展開構成に基づき、本考案の実施例１にかかる折りたたみ式拡大鏡１０は、以下のように組み立てられている。
まず、フレーム部材１９の接合部３１は、一方の長さ方向側面部形成部２７の一方の幅方向縁部から上記折れ筋１６ａにかかる部分２９に固定され、フレーム部材２０の接合部３２は、他方の長さ方向側面部形成部２８の他方の幅方向縁部から上記折れ筋１６ｂにかかる部分３０に固定される。
また、弾性ベルト２２は、弾性ベルト接合部４０に固定され、折りたたみ部３４は、弾性ベルト２２の接合部分を被覆するように折り曲げ線３９に沿って内方へ折り曲げ接着固定する構成となっている。
なお、フレーム部材１９の切り欠き部４１は、折りたたみ式拡大鏡１０が形成された際に、フレーム部材１９が弾性ベルト２２に当接することを防止するために設けられている。
そして、折り曲げ線３５，３６，３７，３８に沿って夫々垂直上方へ折り曲げ、接合片部３３が一方の長さ方向側面部形成部２７の幅方向端部に、接着固定されることにより折りたたみ式拡大鏡１０は形成される。
【００３３】
以下に上記実施例１の作用について説明する。
図１及び図４に示すように、使用時には、形状が安定した状態で保持された直方体筒状部１１の弾性ベルト開口部２３に携帯電話のディスプレイ部８０を挿入することにより、携帯電話のディスプレイ画面を拡大しうる拡大鏡となる。
そして、直方体筒状部１１の形状は安定された状態で維持されると共に、携帯電話のディスプレイ部８０は携帯電話のディスプレイ基端部８１を固定しうる弾性ベルト２２により固定されているので、片手で携帯電話の操作部８２を把持可能であり、使用時に両手が塞がることがなく、安定した状態で携帯電話のディスプレイ画面を拡大しうる拡大鏡として使用できる。
また、図１に示すように、使用時に、上記直方体筒状部１１に携帯電話のディスプレイ部８０が挿入されていない場合には、一の長さ方向側面部１３に対向する他の長さ方向側面部１４にレンズ１２に対応する開口部１５が形成されているので、レンズ１２により開口部１５を介して新聞等の文字を拡大しうる通常の拡大鏡として使用できる。
また、非使用時には、直方体筒状部１１を図１に示すような使用状態から図２に示す状態を経て図３に示すような折りたたみ状態にすることができる。
このように、折れ線１６ａ，１６ｂに沿って内方へ折りたたむことが可能であるので、コンパクトな薄型板状に形成され、携帯性に優れた折りたたみ式拡大鏡１０を提供することができる。
【実施例２】
【００３４】
以下に、実施例２について、実施例１と異なる点についての詳細を説明する。
実施例２は、図８に示すように、直方体筒状部１１の長さ方向一端部側４２に、使用時には上記一端部を閉塞しうる幅方向側面部４７が設けられている点において実施例１と相違する。
実施例２においては、図１に示す実施例１のような、一の長さ方向側面部１３に隣接する互いに対向する一対の長さ方向側面部１７，１８には、長さ方向に沿って折りたたみ用折れ筋１６ａ，１６ｂは形成されておらず、図６に示すような使用状態から図７に示すような折りたたみ状態にするには、一方の長さ方向側面部１７の内面を一の長さ方向側面部１３の内面に当接させると共に、他方の長さ方向側面部１８の内面を他の長さ方向側面部１４の内面に当接させ押し潰すことにより折りたたむ。
この使用時には、図８〜図１０に示すように、上記折りたたみ式拡大鏡１０は、上記直方体筒状部１１の長さ方向一端部４２側に、上記一端部４２を閉塞しうる幅方向側面部４３が設けられ、上記幅方向側面部４３は、上記長さ方向一端部の方形状の開口部４４を一方の対角線に沿って閉塞しうる一対の係合片部４５，４６からなるフレーム部４７を備え、上記一対の係合片部４５，４６は、夫々、互いに係合する係合片４８，４９と、上記係合片４８，４９に固定され、他方の対角線を形成しうる折れ筋５０，５１を有する固定片５２ａ，５２ｂとより構成されている。
また、非使用時には、上記一方の対角線に沿って上記直方体筒状部１１を幅方向に沿って押し潰すことにより上記一対の係合片部４５，４６の係合を解除することにより折りたたまれる。
【００３５】
ここで、図１１に示すように、本考案の実施例２にかかる折りたたみ式拡大鏡１０は、厚紙を切り起こすことにより形成されている。
上記折りたたみ式拡大鏡１０は、図１１に示すように、直方体筒状部形成部５４の展開状態において、レンズ１２が固定された一の長さ方向側面部形成部５５の幅方向の一方の端部には、折り曲げ線６０を介して、一方の長さ方向側面部形成部５７が連設され、一の長さ方向側面部形成部５５の幅方向の他方の端部には、夫々、折り曲げ線６１，６２，６３を介し、順次、他方の長さ方向側面部形成部５８、開口部１５が形成された他の長さ方向側面部形成部５６、接合片部５９が連設されている。
また、一方の長さ方向側面部形成部５７の長さ方向の一方の端部には折り曲げ線６４を介して、固定片結合部６８が連設され、他方の長さ方向側面部形成部５８の長さ方向の一方の端部には折り曲げ線６６を介して、固定片結合部６９が連設されている。
また、レンズ１２が固定された一の長さ方向側面部形成部５５の長さ方向の一方の端部には、折り曲げ線６５を介して、斜め右下方に伸びる折れ筋５０を有する固定片形成部７１が連設され、固定片形成部７１の下端には、係合片形成部７０が形成されている。
そして、開口部１５が形成された他の長さ方向側面部形成部５６の長さ方向の一方の端部には、折り曲げ線６７を介して、斜め下方に伸びる折れ筋５１を有する固定片形成部７４が連設され、固定片形成部７４の下端には、係合片形成部７３が形成されている。
【００３６】
上記展開構成に基づき、本考案の実施例２にかかる折りたたみ式拡大鏡１０は、以下のように組み立てられている。
折り曲げ線６０，６４，６５に沿って夫々垂直上方へ折り曲げ、固定片形成部７１の折れ筋５０から外方縁部にかけての内面側と固定片結合部６８の外面側とを接着固定する。同様に、折り曲げ線６２，６６，６７に沿って夫々垂直上方へ折り曲げ、固定片形成部７４の折れ筋５１から外方縁部にかけての内面側と固定片結合部６９とを接着固定する。
次に、折り曲げ線６１，６３に沿って夫々垂直上方へ折り曲げ、接合片部５９が一方の長さ方向側面部形成部５７の幅方向端部に、接着固定されることにより折りたたみ式拡大鏡１０は形成される。
【００３７】
以下に上記実施例２の作用について説明する。
図８に示すように、直方体筒状部１１の長さ方向一端部側４２には、使用時には上記一端部を閉塞しうる幅方向側面部４７が設けられているので、使用時には、直方体筒状部１１の形状は安定された状態で保持される。
したがって、図６及び図８に示すように、使用時に、直方体筒状部１１の弾性ベルト開口部２３に携帯電話のディスプレイ部８１が挿入された場合には、安定した状態を保持しながらレンズ１２により携帯電話のディスプレイ部８１を拡大することができる。
また、使用時に、上記直方体筒状部１１に携帯電話のディスプレイ部８１が挿入されていない場合においても、一の長さ方向側面部に対向する他の長さ方向側面部にレンズに対応する開口部１５が形成されているので、安定した状態を保持しながらレンズ１２により開口部１５を介して通常の拡大鏡として使用できる。
また、直方体筒状部１１を図８に示すような使用状態から図９に示す状態を経て図１０に示すような折りたたみ状態にする場合には、一対の係合片部４５，４６は、夫々、互いに係合する係合片４８，４９と、上記係合片４８，４９に固定され、他方の対角線を形成しうる折れ筋５０，５１を有する固定片５２ａ，５２ｂとより構成されているので、折りたたみ時には、上記一方の対角線に沿って上記直方体筒状部１１を幅方向に沿って押し潰すことにより上記一対の係合片部４５，４６の係合を解除することにより簡易に折りたたむことができる。
また、図１０に示すような折りたたみ状態から図９に示す状態を経て図８に示すような使用状態にする場合には、一の長さ方向側面部の長さ方向一辺５３ａ及び他の長さ方向側面部の長さ方向一辺５３ｂの夫々を同時に把持することにより、上記一対の係合片部４５，４６を係合させ直方体筒状部１１を簡易に形成することができる。
このように、折りたたみ状態から使用状態を形成することや、使用状態から折りたたみ状態を形成することが、簡易な操作により可能となる。
そして、このように直方体筒状部１１は、コンパクトな薄型板状に折りたたむことが可能であるので、携帯性に優れた折りたたみ式拡大鏡を提供することができる。
【実施例３】
【００３８】
以下に、実施例３について詳細を説明する。
実施例３について、実施例１と異なる点についての詳細を説明する。
実施例３は、挿入された携帯電話のディスプレイ基端部８１を固定する構成において、実施例１と相違する。
実施例３においては、図１２に示すように、レンズ１２が固定された一の長さ方向側面部１３及び開口部１５が形成された一の長さ方向側面部１３に対向する他の長さ方向側面部１４に連設された互いに対向する一対の側面部１７，１８の内方面部に、挿入された携帯電話のディスプレイ部を両側から把持固定しうる保持凸部７６が設けられている構成である。
【実施例４】
【００３９】
以下に、実施例４について詳細を説明する。
また、実施例４について、実施例１と異なる点についての詳細を説明する。
実施例４は、挿入された携帯電話のディスプレイ基端部８１を固定する構成において、実施例１と相違する。
実施例４においては、図１３に示すように、開口部が形成された一の長さ方向側面部の外方には、携帯電話のディスプレイ部を挿入しうる間隔寸法をおいて、外方側面部７７が延設されている構成である。
【００４０】
したがって、実施例３及び実施例４においては、使用時に携帯電話を挿入した場合に、保持凸部７６又は外方側面部７７により形成される携帯電話のディスプレイ部収納部８３に携帯電話のディスプレイ部８０を安定した状態で保持できるので、片手で携帯電話操作部８２を把持可能であり、使用時に両手が塞がってしまうことがなく、安定した状態で使用可能な携帯電話のディスプレイ画面を拡大しうる拡大鏡とすることができる。
【００４１】
また、本実施の形態においては記載されていないが、例えば、レンズ１２を取り外し自在とすることにより、適時、レンズ１２を単独で使用可能に構成することもできる。
【産業上の利用可能性】
【００４２】
本考案は、広く折りたたみ式拡大鏡に適用することができる。
【図面の簡単な説明】
【００４３】
【図１】本考案に係る折りたたみ式拡大鏡の第一実施例の形態を示す斜視図である。
【図２】本考案に係る折りたたみ式拡大鏡を折りたたむ途中における第一実施例の形態を示す斜視図である。
【図３】本考案に係る折りたたみ式拡大鏡を折りたたんだ状態における第一実施例の形態を示す斜視図である。
【図４】本考案に係る折りたたみ式拡大鏡に携帯電話機を挿入した場合における第一実施例の形態を示す斜視図である。
【図５】本考案に係る折りたたみ式拡大鏡の第一実施例の展開図である。
【図６】本考案に係る折りたたみ式拡大鏡の第二実施例の形態を示す斜視図である。
【図７】本考案に係る折りたたみ式拡大鏡を折りたたんだ状態における第二実施例の形態を示す斜視図である。
【図８】本考案に係る折りたたみ式拡大鏡の第二実施例の長さ方向一端部の閉塞状態を示す斜視図である。
【図９】本考案に係る折りたたみ式拡大鏡を折りたたむ途中における第二実施例の長さ方向一端部の閉塞状態を示す斜視図である。
【図１０】本考案に係る折りたたみ式拡大鏡を折りたたんだ状態における第二実施例の長さ方向一端部の閉塞状態を示す斜視図である。
【図１１】本考案に係る折りたたみ式拡大鏡の第二実施例の展開図である。
【図１２】本考案に係る折りたたみ式拡大鏡の第三実施例の形態を示す斜視図である。
【図１３】本考案に係る折りたたみ式拡大鏡の第四実施例の形態を示す斜視図である。
【符号の説明】
【００４４】
１０    折りたたみ式拡大鏡
１１    直方体筒状部
１２    レンズ
１３    一の長さ方向側面部
１４    他の長さ方向側面部
１５    開口部
１６ａ  折れ筋
１６ｂ  折れ筋
１７    一方の長さ方向側面部
１８    他方の長さ方向側面部
１９    一方のフレーム部材
２０    他方のフレーム部材
２１ａ  一方の長さ方向側面部の一方の幅方向縁部
２１ｂ  他方の長さ方向側面部の一方の幅方向縁部
２２    弾性ベルト
２３    弾性ベルト開口部
２４    直方体筒状部形成部
２５    一の長さ方向側面部形成部
２６    他の長さ方向側面部形成部
２７    一方の長さ方向側面部形成部
２８    他方の長さ方向側面部形成部
２９    一方の長さ方向側面部形成部の一方の幅方向縁部から折れ線にかかる部分
３０    他方の長さ方向側面部形成部の他方の幅方向縁部から折れ線にかかる部分
３１    フレーム部材の接合部
３２    フレーム部材の接合部
３３    接合片部
３４    折りたたみ部
３５    折り曲げ線
３６    折り曲げ線
３７    折り曲げ線
３８    折り曲げ線
３９    折り曲げ線
４０    弾性ベルト接合部
４１    切り欠き部
４２    長さ方向一端部
４３    幅方向側面部
４４    開口部
４５    係合片部
４６    係合片部
４７    フレーム部
４８    係合片
４９    係合片
５０    折れ筋
５１    折れ筋
５２ａ  固定片
５２ｂ  固定片
５３ａ  一の長さ方向側面部の長さ方向一辺
５３ｂ  他の長さ方向側面部の長さ方向一辺
５４    直方体筒状部形成部
５５    一の長さ方向側面部形成部
５６    他の長さ方向側面部形成部
５７    一方の長さ方向側面部形成部
５８    他方の長さ方向側面部形成部
５９    接合片部
６０    折り曲げ線
６１    折り曲げ線
６２    折り曲げ線
６３    折り曲げ線
６４    折り曲げ線
６５    折り曲げ線
６６    折り曲げ線
６７    折り曲げ線
６８    固定片結合部
６９    固定片結合部
７０    係合片形成部
７１    固定片形成部
７２    係合片部形成部
７３    係合片形成部
７４    固定片形成部
７５    係合片部形成部
７６    保持凸部
７７    外方側面部
８０    携帯電話のディスプレイ部
８１    携帯電話のディスプレイ基端部
８２    携帯電話の操作部
８３    ディスプレイ部収納部
【図１】
0003133244.tif 000003
【図２】
0003133244.tif 000004
【図３】
0003133244.tif 000005
【図４】
0003133244.tif 000006
【図５】
0003133244.tif 000007
【図６】
0003133244.tif 000008
【図７】
0003133244.tif 000009
【図８】
0003133244.tif 000010
【図９】
0003133244.tif 000011
【図１０】
0003133244.tif 000012
【図１１】
0003133244.tif 000013
【図１２】
0003133244.tif 000014
【図１３】
0003133244.tif 000015